(57)【要約】      （修正有）【課題】雄耳標がそれ自身で穿孔した耳の穴から抜け出ないようにすることにより、動物への耳標装着後の雄耳標すり抜けによる脱落を防止するとともに、丸めたり折りたたんでも動物の耳に穿孔した穴を通らないようにする動物用耳標を提供する。【解決手段】軟質樹脂を主体として形成し必要情報を記載できる大きさの札型の表示部１１の裏側の一部から軸１２を延設しこの軸の延設端に動物の耳に穿孔しながら挿し込む尖頭状の矢尻部１３を設ける一方表示部の軸位置の表側から動物の耳に穿孔しながら挿し込むためのピン挿入孔１４を設けた雄耳標１と、この穿孔によって形成された耳の穴を貫通した矢尻部を係止する雌耳標２とで一対とした動物用耳標ＥＴにおいて、軟質樹脂で形成した表示部であってしかもピン挿入孔の存在により軸が中空で曲がりやすくなっていても穴を通り抜けられないボリュームを付加した膨出部１５ａ，１５ｂを表示部表面に設けた。【選択図】図１
2020058328.tif 000002
【特許請求の範囲】
【請求項１】
軟質樹脂を主体として形成し必要情報を記載できる大きさの札型の表示部の裏側の一部から軸を延設しこの軸の延設端に動物の耳に穿孔しながら挿し込む尖頭状の矢尻部を設ける一方前記表示部の前記軸位置の表側から前記動物の耳に穿孔しながら挿し込むためのピン挿入孔を設けた雄耳標と、前記穿孔によって形成された前記耳の穴を貫通した前記矢尻部を係止する雌耳標とで一対とした動物用耳標において、前記雄耳標を、前記軟質樹脂で形成した前記表示部であってしかも前記ピン挿入孔の存在により前記軸が中空で曲がりやすくなっていても前記耳の穴を通り抜けられないボリュームを付加した膨出部を前記表示部表面に設けたことを特徴とする動物用耳標。
【請求項２】
前記軸周りの前記表示部の一部を前記耳の穴を潜り抜けられない程度の大きさに形成したことを特徴とする請求項１に記載の動物用耳標。
【請求項３】
前記膨出部の断面を、なだらかな山型に形成したことを特徴とする請求項１または請求項２いずれかに記載の動物用耳標。
【請求項４】
前記膨出部を、前記軸周りの前記表示部の一部表面に設けたことを特徴とする請求項１から請求項３のいずれか一つに記載の動物用耳標。
【請求項５】
前記膨出部を、前記表示部表面の前記ピン挿入孔から離間した前記表示部に設けたことを特徴とする請求項１から請求項３のいずれか一つに記載の動物用耳標。
【請求項６】
前記膨出部を、前記軸周りの前記表示部一部表面と前記表示部表面の前記ピン挿入孔から離間した前記表示部に設けたことを特徴とする請求項１から請求項３のいずれか一つに記載の動物用耳標。
【請求項７】
前記膨出部を、複数設けたことを特徴とする請求項１から請求項６のいずれか一つに記載の動物用耳標。
【発明の詳細な説明】
【技術分野】
【０００１】  本発明は、動物の個体識別等に使用する耳標に関し、詳しくは、動物の耳に装着した耳標の脱落や改ざんを防止する動物用耳標に関する。
【背景技術】
【０００２】  畜産動物等の個体識別用等に使用する動物用耳標は世界的に普及している。
この耳標の多くは耳標装着器を使用して動物の耳に穿孔しながら装着するものである。
具体的には、動物の耳に穿孔しながら挿し込む雄耳標と、この雄耳標が動物の耳を貫通した後この雄耳標を係止する雌耳標とをそれぞれ別体に形成して、動物の耳に装着することで一つの耳標として成り立つものである。
そして、上記構成の多くの耳標は、動物への負担を軽減するために柔らかい素材（例えばポリウレタン等）で成形されていたり、一組の雄雌耳標の質量も一定の制限のもと形成されているため、強度的に必要な箇所以外はできるだけ薄く形成している。その一例を次に示す。
【先行技術文献】
【特許文献】
【０００３】
【特許文献１】特開２００９−１３６２９９号公報
【０００４】  「特許文献１」の記載によれば、「不正にいじれない特性を向上させた動物の耳タグ（不正改ざん防止機能付き動物用耳タグ）を提供する」ことを目的とし、「動物の耳に耳タグを取り付ける結合手段を含み、その結合手段が、ヘッドのついた軸と、軸のヘッドが通って、結合を達成することができる雌穴とを有し、その雌穴は、独立して囲まれたボス部品の一部として形成され、そのボス部品は、硬い材料で作られ、耳タグの一部を形成する材料に固定される、動物の耳タグ」の技術が開示されている。
【発明の開示】
【発明が解決しようとする課題】
【０００５】    「特許文献１」の技術は、雄部品（以下雄耳標）と雌部品（以下雌耳標）の結合手段を強化した技術で、これにより雄耳標と雌耳標との結合が解かれにくくしていて、結合解除による耳タグ（以下耳標）の脱落を防止する点では評価できる。
しかし、耳標そのものの材質が弾力性のあるポリウレタンを主原料としていることから柔らかく薄く形成して動物に負担をかけないようにしているので、図６に示したように雌耳標２０２に矢印方向の外的負荷が加われば、柔らかく薄い雄耳標１０１は、軸１１２周りの表示部１１１ａが小さいこと及びピン挿入孔１１４の存在により中空になっている柔らかい軸１１２の曲がりやすい作用によって表示部１１１ａに対して軸１１２が平行に近い状態なりやすいことも手伝って必然的に耳標装着時に雄耳標１０１によって穿孔した穴ＥＨに、絞られて吸い込まれるようにして入り込み、やがて、この耳Ｅの穴ＥＨから雄耳標１０１が抜けることによる耳標脱落の現象を防止できない。また、逆説的には、雄耳標１０１全体を丸めるか、小さく折りたたんで前記耳Ｅの穴を通せば結合状態にある雄耳標１０１と雌耳標２０２が恰も正常な装着方法によって装着されたものと見分けがつかない程精巧に改ざんできることになる。【０００６】  そこで、本発明は、雄耳標がそれ自身で穿孔した耳の穴から抜け出ないようにすることにより、動物への耳標装着後の雄耳標すり抜けによる脱落を防止するとともに、丸めたり折りたたんでも動物の耳に穿孔した穴を通らないようにする動物用耳標を提供することを目的とする。
【課題を解決するための手段】
【０００７】  上記目的を達成するために本発明では次の各手段を用いて上記課題を解決した。
第一の課題解決手段は、軟質樹脂を主体として形成し必要情報を記載できる大きさの札型の表示部の裏側の一部から軸を延設しこの軸の延設端に動物の耳に穿孔しながら挿し込む尖頭状の矢尻部を設ける一方前記表示部の前記軸位置の表側から前記動物の耳に穿孔しながら挿し込むためのピン挿入孔を設けた雄耳標と、前記穿孔によって形成された前記耳の穴を貫通した前記矢尻部を係止する雌耳標とで一対とした動物用耳標において、前記雄耳標を、前記軟質樹脂で形成した前記表示部であってしかも前記ピン挿入孔の存在により前記軸が中空で曲がりやすくなっていても前記耳の穴を通り抜けられないボリュームを付加した膨出部を前記表示部表面に設けた動物用耳標を提供する。【０００８】  第二の課題解決手段は、前記第一の課題解決手段に加えて、前記軸周りの前記表示部の一部を前記耳の穴を潜り抜けられない程度の大きさに形成した動物用耳標を提供する。【０００９】  第三の課題解決手段は、前記第一の課題解決手段または前記第二の課題解決手段のいずれかの手段に加えて、前記膨出部の断面を、なだらかな山型に形成した動物用耳標を提供する。【００１０】  第四の課題解決手段は、前記第一の課題解決手段から前記第三の課題解決手段のいずれか一つに加えて、前記膨出部を、前記軸周りの前記表示部の一部表面に設けた動物用耳標を提供する。【００１１】  第五の課題解決手段は、前記第一の課題解決手段から前記第三の課題解決手段のいずれか一つに加えて、前記表示部表面の前記ピン挿入孔から離間した前記表示部に設けた動物用耳標を提供する。【００１２】  第六の課題解決手段は、前記第一の課題解決手段から前記第三の課題解決手段のいずれか一つに加えて、前記膨出部を、前記軸周りの前記表示部一部表面と前記表示部表面の前記ピン挿入孔から離間した前記表示部に設けた動物用耳標を提供する。【００１３】第七の課題解決手段は、前記第一の課題解決手段から前記第六の課題解決手段のいずれか一つに加えて、前記膨出部を、複数設けた動物用耳標を提供する。
【発明の効果】
【００１４】  上記、第一の課題解決手段による作用効果は、雄耳標を、軟質樹脂で形成した表示部であってしかも前記ピン挿入孔の存在により前記軸が中空で曲がりやすくなっていても耳の穴を通り抜けられないボリュームを付加した膨出部を表示部表面に設けたので、耳標は軟質樹脂を主体としていること、動物の耳と接触する雄耳標部分には当該耳に強く接触したり成形時のバリ等の発生による擦れる部分がないようにできること等、動物に過度の負担を強いることない状態にした上でかつ雄耳標がピン挿入孔の存在によって中空で曲がりやすい状態にあるにもかかわらず耳標に外的負荷が加わっても雄耳標が耳の穴を通り抜けることはないようにした。
したがって、上述のように動物に優しい配慮をした上で動物の耳に装着後の耳標は従来例のようにすり抜けによる脱落がないばかりか、逆説的には、雄耳標と雌耳標が係合した状態では、他の動物に装着することも不可能になって不正改ざん防止効果も奏するので、正確な動物の個体管理ができる。【００１５】  第二の課題解決手段による作用効果は、上記第一の課題解決手段による作用効果に加え、軸周りの表示部の一部を耳の穴を潜り抜けられない程度の大きさに形成した。換言すれば、動物の耳の穴に入り込まない程度の大きさに軸周りの表示部の一部を形成したことを意味し、すり抜けによる耳標脱落時には先ず軸周りの表示部分から耳に穿孔した穴に入り込むことから、先ずはこの作用を防止できる。したがって、動物の耳に装着後の耳標は従来例のようにすり抜けによる脱落がないばかりか、逆説的には、雄耳標と雌耳標が係合した状態では、他の動物に装着することも不可能になって不正改ざん防止効果も奏するとした第一の課題解決手段による作用効果を更に補強することができる。【００１６】  第三の課題解決手段による作用効果は、前記第一の課題解決手段または前記第二の課題解決手段のいずれかの手段による作用効果に加えて、膨出部の断面をなだらかな山型に形成したので、表示部表面に必要情報を印字した場合でもごみやほこり等がたまりにくくなり表示部の必要情報の視認性を確保できる他、少なくとも耳標装着時にできた耳の傷が治癒するまで清潔に保つ効果がある。【００１７】  第四の課題解決手段による作用効果は、前記第一の課題解決手段から前記第三の課題解決手段のいずれか一つの手段による作用効果に加えて、膨出部を、軸周りの表示部の一部表面に設けたことから、すり抜けによる耳標脱落時には先ず軸周りの表示部分から耳に穿孔した穴に入り込むことを第二の課題解決手段に加えて二重に防止できるので、特に、第二の課題解決手段による作用効果を更に補強できる効果がある他、表示部表面の必要情報の表示範囲を拡大できる効果もある。【００１８】  第五の課題解決手段による作用効果は、前記第一の課題解決手段から前記第三の課題解決手段のいずれか一つの手段による作用効果に加えて、膨出部を表示部表面のピン挿入孔から離間した表示部に設けたので、表示部面積の広い場所に膨出部を配備できる。換言すれば折りたたんだり丸めたりすることが全くできないことを意味するので、耳標のすり抜けによる脱落防止や、雄耳標と雌耳標が係合した状態では他の動物に装着することも不可能になり、確実なすり抜けによる脱落防止や改ざん防止を行うことができる。【００１９】  第六の課題解決手段による作用効果は、前記第一の課題解決手段から前記第三の課題解決手段のいずれか一つの手段による作用効果に加えて、膨出部を、軸周りの表示部一部表面と表示部表面のピン挿入孔から離間した表示部に設けたので、これ以上ない耳標のすり抜けによる脱落防止や、雄耳標と雌耳標が係合した状態では他の動物に装着することも不可能にり完全なすり抜けによる脱落防止や改ざん防止を行うことができる。【００２０】  第七の課題解決手段による作用効果は、前記第一の課題解決手段から前記第六の課題解決手段のいずれか一つの手段による作用効果に加えて、膨出部を複数設けたので、膨出部による各種図形（例えばロゴマーク等）を表示部表面に表すことができる。【００２１】  このように、本発明は、雄耳標がそれ自身で穿孔した耳の穴から抜け出ないようにすることにより、動物への耳標装着後の雄耳標すり抜けによる脱落を防止するとともに、丸めたり折りたたんでも動物の耳に穿孔した穴を通らないようにするとした所期の目的を達成できる他、各態様により前述したそれぞれの作用効果を奏することができる。
【図面の簡単な説明】
【００２２】
【図１】は、本発明の動物用耳標の一実施例を示す一部断面した全体斜視図。
【図２】は、動物の耳に装着器を用いて装着する際の一部断面した作用説明図。
【図３】は、動物の耳に装着後の作用を示す断面説明図。
【図４】は、本発明の他の実施例を示す雄耳標の一部断面した斜視図。
【図５】は、従来の雄耳標例を示す斜視図。
【図６】は、「図５」に示す雄耳標のすり抜け態様を表す説明図。
【発明を実施するための形態】
【実施例１】
【００２３】  図１において、雄耳標１とこの雄耳標１を嵌め込む雌耳標２とで一対とした動物用耳標ＥＴのうち、雄耳標１は、表示部１１とこの表示部１１の裏側の一部から延設した軸１２とこの軸１２先端側に設けた矢尻部１３と軸の中央付近に穿設したピン挿込孔１４とから成る。ピン挿込孔１４は、後述する動物用耳標ＥＴの装着器Ｔの雄耳標支えピンＴ３を挿し込む有底孔である。【００２４】  また、雌耳標２は、表示部２１と、この表示部２１の一部に設けた抜け止め部２３を備えた嵌め込み穴２２と、矢尻収納部２４とを有する。
なお、嵌め込み穴２２は、有底筒状の壁２６により形成していて動物に動物用耳標ＥＴを装着した後に故意に雌耳標２から雄耳標１を外されるのを防止するため、可能な限り頑丈に形成するのが良い。
また、壁２６と表示部２１との間には段部２５を設けていてこの段部２５は、後述する装着器Ｔを使用する際の雌耳標２の位置決めの役目を果たす。
このように構成した動物用耳標ＥＴの殆どは、軟質樹脂、好ましくはポリウレタン樹脂で金型を使用して射出成形するのが一般的である。【００２５】  次に本発明の要部について説明する。
上記動物用耳標ＥＴの内、雄耳標１には軸１２周りの表示部１１ａを動物の耳の穴を潜り抜けられない大きさにしている。
これは、図５、図６に示すように従来の耳標の場合、軸１１２周りの表示部１１１ａが小さいため、耳Ｅの穴ＥＨを抜けようとして軸１１２と軸１１２周りの表示部１１１ａが平行に近づくと表示部１１１ａの大きさが小さい場合、その先端部分が耳Ｅの穴ＥＨに入り込む現象が生じる。この現象は、図６の矢印方向の外力が作用した場合軸１１２周りの表示部１１１ａはもとより、ほかの表示部１１１まで耳の穴に引きずり込まれることを意味しているので、本発明では、前述したように先ず、軸１２周りの表示部１１ａを動物の耳Ｅの穴ＥＨを潜り抜けられない大きさにして、表示部１１ａが耳Ｅの穴ＥＨに引きずり込まれないようにした上で更に表示部１１ａの表面に穴ＥＨを通り抜けることができないボリュームを付加した膨出部１５ａを設けて軸１２周りの表示部１１ａの曲げ強度を大幅に向上させて表示部１１ａが耳の穴に引きずり込まれようとする作用に抵抗するようにしている。
なお、膨出部１５ａは、断面をなだらかな山形に形成している。その理由は、動物の飼育環境は一般的に飼料等の影響で埃が多くまた、飼育動物の糞尿が飛び散る等余りよろしくない。そこで、表示部１１や表示部１１ａに異物が付着しにくい形状にして、表示機能を損なわないようにすること及び、耳標装着時には耳Ｅに傷がつくので、この傷が治癒するまでは少なくとも表示部１１ａの周辺を清潔に保つための処置である。【００２６】  続いて、動物用耳標ＥＴの装着及び装着後の耳標ＥＴの作用について説明する。
先ず、図２において、装着器Ｔの雌耳標取付部Ｔ２に雌耳標２を図の姿勢でセットする。段部２５は雌耳標２の嵌め込み穴２２の位置が、これから説明する雄耳標１の矢尻部１３が入り込めるようにするための位置決めの役目を果たす。
次に、雄耳標取付部Ｔ１の雄耳標支えピンＴ３に雄耳標１のピン挿入孔１４を挿し込む。
この雄耳標支えピンＴ３は、動物用耳標ＥＴが前述したように軟質樹脂であるポリウレタンで形成されているため、装着時には雄耳標１の軸１２に座屈荷重が作用することからこの軸１２を座屈荷重から保護して確実な装着を行うために必要不可欠の部品である。
装着器Ｔに上述したようにセットした雄耳標１と雌耳標２は、雄耳標１の軸１２先端に位置する矢尻部１３により、動物の耳Ｅに穿孔しながら耳Ｅを貫通して雌耳標２の嵌め込み穴２２内に矢尻部１３を縮径させながら入り込み、やがて抜け出たところで矢尻部１３が拡径して抜け止め部２３により係止される。
装着器Ｔの雄耳標取付部Ｔ１が図２の上方に離れるとピン挿入孔１４から雄耳標支えピンＴ３が抜け、続いて装着器Ｔを図２の右方向に抜くと雌耳標２は雌耳標取付部Ｔ２から抜けて動物用耳標ＥＴの耳Ｅへの装着が完了する。【００２７】  装着器Ｔから外れた動物用耳標ＥＴは、雄耳標支えピンＴ３が抜け軸１２が中空になったため軸１２が曲がりやすくなる。
従来の雄耳標１１０では、軸１１２が曲がりやすくなることも手伝って表示部１１１ａと軸１１２が平行に近くなると、表示部１１１ａ先端が動物の耳Ｅの穴ＥＨに入りやすかったが、本発明のこの実施例では、表示部１１ａの先端部分を前記耳Ｅの穴ＥＨを潜り抜けられない程度の大きさに形成したこと、及び膨出部１５ａの存在により、軸１２が曲がりやすくても軸１２周りの表示部１１ａが耳の穴を覗くことすらできない状態になる。
換言すれば、図３に示すように、雌耳標２に矢印方向の外的負荷が加わっても、膨出部１５ａの存在により表示部１１ａの剛性が増す結果、耳Ｅの穴ＥＨに表示部１１ａが入り込めないので軸１２が柔らかくても何ら問題がないということになる。加えて、軸１２周りの表示部１１ａを動物の耳Ｅの穴ＥＨを潜り抜けられない大きさにしたので、更に軸１２が曲がりやすくても軸１２周りの表示部１１ａが耳Ｅの穴ＥＨを覗くことすらできない状態を確実にすることができる。
【実施例２】
【００２８】  図４は本発明の他の実施例を示し、例えば、膨出部１１ｂを、表示部１１表面の前記ピン挿入孔１４から離間した前記表示部１１の幅の広い最遠部に設けてもよい。
この実施例の場合は、仮に、表示部１１ａが万一耳Ｅの穴ＥＨに入り込んだと仮定しても膨出部１１ｂの存在により、雄耳標１が耳Ｅの穴ＥＨから抜け出てしまうことはない。
【実施例３】
【００２９】  更に他の実施例として図１に示すように、「実施例１」の構成に加え、「実施例２」のように、膨出部１１ｂを、表示部１１表面の前記ピン挿入孔１４から離間した前記表示部１１の幅の広い最遠部に設けた場合は、安全策の上にさらに安全策を施した、これ以上ないほどの抜け防止機能を果たすことができることは言うまでもない。【００３０】  なお、「実施例３」のように、表示部に、膨出部１１ａ，１１ｂのように形の異なる膨出部を複数設けてもよいが、例えば、図示しないが、膨出部を活用して、各種ロゴマーク等の表示機能を持たせるように膨出部を配置してもよく、また、膨出部の形状を例えば半球状や角錐状に形成してそれを多数配置し穴ＥＨを潜ろうとしても多数の膨出部が邪魔になって表示部が穴ＥＨを抜け出ることができないようにしても本発明を達成できる。
【産業上の利用可能性】
【００３１】  以上の説明で理解できたように、本発明は、耳標の脱落や改ざん防止に役立つ有用な発明であって、法律で定められている牛の個体識別用の耳標として活用できることはもちろんのこと、無線通信によって動物の個体を管理する電子標識にも極めて有効であり、産業上の利用可能性は極めて大きいものがある。
【符号の説明】
【００３２】  １…………………………雄耳標
２…………………………雌耳標
１１………………………表示部
１１ａ……………………表示部（軸１２周り部分）
１２………………………軸
１２ａ……………………握り部分
１３………………………矢尻部
１４………………………ピン挿入孔
１５ａ，１５ｂ…………膨出部
Ｅ…………………………耳
ＥＨ………………………穴
ＥＴ………………………動物用耳標
【図１】
2020058328.tif 000003
【図２】
2020058328.tif 000004
【図３】
2020058328.tif 000005
【図４】
2020058328.tif 000006
【図５】
2020058328.tif 000007
【図６】
2020058328.tif 000008